(57)【要約】      （修正有）【課題】空気調和機に備えられた各々相関する複数の運転モードの設定を行う際に、相互に及ぼす影響を把握しながら運転モードの設定が行える空気調和機を提供する。【解決手段】リモコン１は、表示画面１１ｘとタッチパネル１１ｙとからなる操作表示部１１と、タッチパネル１１ｙの操作情報に基づいて表示画面１１ｘを制御する制御手段とを備えたものである。使用者は、空気調和機に備えられた各々相関する複数の運転モードのうち１つの運転モードを変更したい時は、リモコン１に備えられた優先設定ボタン１１ｆを押下する。優先設定ボタン１１ｆの押下を認識した制御手段は、表示画面１１ｘに、１つの運転モードを変更した際に他の運転モードに与える影響を表した運転モード設定画面を表示する。【選択図】図１
2013002717.tif 000002
【特許請求の範囲】
【請求項１】
表示手段と、操作手段と、同操作手段の操作情報に基づいて前記表示手段を制御する制御手段とを備えた表示装置を有する空気調和機であって、
前記空気調和機には複数の運転モードが備えられ、
前記運転モードは各々複数の実行レベルを有し、一の前記運転モードの前記実行レベルが変化すれば他の前記運転モードの前記実行レベルも変化する相関関係にあり、
前記表示手段には、複数の前記運転モードの前記実行レベルが表示され、
前記制御手段は、前記操作手段により一の前記運転モードの前記実行レベルが変更されたとき他の前記運転モードの前記実行レベルの変化を表した運転モード設定画面を前記表示手段に表示することを特徴とする空気調和機。
【請求項２】
前記操作手段は、前記表示手段に表示される表示画面と対応して配置されるタッチパネルであることを特徴とする請求項１に記載の空気調和機。
【請求項３】
前記複数の運転モードは、前記空気調和機での消費電力を増減する省エネ運転モードと、前記空気調和機で発生する騒音レベルを増減する静音モードと、前記空気調和機を運転する際の設定温度に室温が到達するまでの時間の長短を設定する急速運転モードであることを特徴とする請求項１に記載の空気調和機。
【請求項４】
前記運転モード設定画面は、前記複数の運転モードを軸にとり同軸の原点を１つにまとめて放射線状にしたレーダーチャートであることを特徴とする請求項１に記載の空気調和機。
【請求項５】
前記運転モード設定画面は、前記複数の運転モードの割合を表示する棒グラフであることを特徴とする請求項１に記載の空気調和機。
【発明の詳細な説明】
【技術分野】
【０００１】
本発明は、空気調和機の操作入力方法とこれによる制御に関するものである。
【背景技術】
【０００２】
従来の空気調和機では、使用者は意図する空調環境を実現するためにリモコンを操作して、設定温度や室内湿度、風量や風向等といった運転条件を設定していた。そして、これらの運転条件は、設定温度や室内湿度であれば数値によって、風量や風向では予め定められた程度や状態を表す語句（強中弱や上下左右等）を選択することで設定がなされていた。
【０００３】
以上のような運転条件の設定方法では、使用者の意図を反映した空調環境を実現するのが困難な場合がある。例えば、真冬日に使用者が帰宅した際、急速に室温が上昇するように空気調和機を運転したいと同時に室内が乾燥するのは避けたいと考えた場合、設定温度を高めに設定するだけでは意図する空調環境を実現できず室内湿度の設定も行う必要がある。このような場合、設定温度と室内湿度の両方を設定しなければならないことは使用者にとって煩わしく、また、意図に応じた設定温度と室内湿度を設定することは使用者にとって感覚的に把握しづらいものである。
【０００４】
そこで、リモコンの表示部に、特定の２つの運転条件を縦横方向に対応させて表示し、使用者の意図する空調環境を言葉で表現した意図表記領域を上記２つの運転条件の値に対応付けて表示するリモコンを備えた空気調和機が提案されている（例えば、特許文献１）。
【０００５】
特許文献１に記載の空気調和機は、リモコンの液晶表示装置上に、空気調和に関わる運転条件である温度を横軸に、湿度を縦軸にそれぞれ表示し、それぞれの座標に対応して、「さわやかに」、「快適に」、「蒸し暑く」、「冷たく」等といった、使用者の意図する空調環境を言葉で表現した意図表記領域が表示されている。使用者は、リモコンを操作して現在の意図に近い意図表記領域を選択する。リモコンは、選択された意図に対応する運転条件（設定温度や室内湿度、風量や風向等）を空気調和機に送信する。そして、空気調和機は、受信した運転条件に基づいた空調運転を行う。
【０００６】
以上説明した空気調和機では、使用者は、例えば設定温度や室内湿度といった数値に置き換えて運転条件を設定しなくても、現在の意図に近い意図表記領域を選択するだけでよいので、意図する空調環境となるような空調運転を的確に行うことができ、かつ、煩わしい設定作業を行わなくて済む。
【先行技術文献】
【特許文献】
【０００７】
【特許文献１】特開平１０−２５９９４８号公報（第３〜４頁、第１図）
【発明の概要】
【発明が解決しようとする課題】
【０００８】
近年、空気調和機には通常の空調制御に関する運転条件に加えて、複数の運転モードを備えたものが提案されている。この運転モードは、各々の実行レベルを変更することで他の運転モードに影響を与えるものであり、例えば、室外機に備えられた圧縮機の回転数を低くし、消費電力を抑える運転を行う省エネ運転モード、室内機の室内ファンの回転数を低くし、室内機での騒音を抑える静音モード、圧縮および室内ファンの回転数を一時的に所定の値まで上昇させ、設定温度に室温が到達する時間を短縮する急速運転モード、等といったものである。尚、ここで各々の実行レベルとは、例えば、省エネ運転モードであれば消費電力の増減度合い、静音モードであれば空気調和機で発生する騒音の高低度合い、急速運転モードであれば室温が設定温度となるまでの時間の長短度合い、を各々意味する。
【０００９】
一般的に、上記運転モードの開始／停止やその実行レベルは、使用者がリモコンや空気調和機本体を操作することで設定できるようになっている。しかし、特許文献１に記載のものを含め従来の空気調和機では、例えば、使用者が「省エネ運転は行いたいが室温を急速に設定温度にしたい」という意図を持っている際に、急速運転モードの実行レベルをどれくらいに設定すれば省エネ運転と両立できるか、といったことに関する情報提供は使用者にはなされないため、一つの運転モードを設定した際に他の運転モードにどのような影響を及ぼすかが把握しづらいという問題があった。
【００１０】
本発明は以上述べた問題点を解決するものであって、空気調和機に備えられた各々相関する複数の運転モードの設定を行う際に、相互に及ぼす影響を把握しながら運転モードの設定が行える空気調和機を提供することを目的とする。
【課題を解決するための手段】
【００１１】
上記した課題を解決するために、本発明の空気調和機は、表示手段と、操作手段と、操作手段の操作情報に基づいて表示手段を制御する制御手段とを備えた表示装置を有するものである。この空気調和機には複数の運転モードが備えられ、複数の運転モードは各々複数の実行レベルを有し、一の運転モードの実行レベルが変化すれば他の運転モードの実行レベルも変化する相関関係にあり、また、表示手段には、複数の運転モードの実行レベルが表示される。そして、制御手段は、操作手段の選択により一の運転モードの実行レベルが変更されたとき他の運転モードの実行レベルの変化を表した運転モード設定画面を表示手段に表示するものである。
【発明の効果】
【００１２】
上記のように構成した本発明の空気調和機によれば、一つの運転モードの実行レベルを変更すれば、他の運転モードの実行レベルをにどのように影響するかを運転モード設定画面によって表示手段に表示するので、空気調和機の使用者は、各運転モードの設定の際に、各運転モード相互の関係を把握しながら設定を行うことができ、より自分の意図に沿った空調制御を実現できる。
【図面の簡単な説明】
【００１３】
【図１】本発明の実施例である空気調和機のリモコン外観図であり、（Ａ）は開閉蓋を閉じた状態図、（Ｂ）は開閉蓋を開いた状態図、（Ｃ）は表示手段の説明図である。
【図２】本発明の実施例である空気調和機のリモコンにおける、要部構成ブロック図である。
【図３】本発明の実施例である空気調和機のリモコンにおける、表示手段の操作説明図であり、（Ａ）〜（Ｆ）は操作手順を表している。
【図４】本発明の実施例である空気調和機のリモコンにおける、表示手段の操作説明図であり、（Ａ）および（Ｂ）は図３と異なる操作をした場合の状態説明図である。
【図５】本発明の実施例である空気調和機のリモコンにおける、表示手段の運転モード設定部が図３と異なる場合の操作説明図であり、（Ａ）〜（Ｆ）は操作手順を表している。
【図６】本発明の他の実施例である空気調和機のリモコンにおける、運転モード設定時の操作説明図であり、（Ａ）〜（Ｇ）は操作手順を表している。
【発明を実施するための形態】
【００１４】
以下、本発明の実施の形態を、添付図面に基づいて詳細に説明する。実施例としては、表示装置として１台の室内機と１台の室外機とからなる空気調和機のリモコンを例に挙げて説明する。尚、本発明は以下の実施形態に限定されることはなく、本発明の主旨を逸脱しない範囲で種々変形することが可能である。
【実施例１】
【００１５】
本実施例のリモコン１は、図１に示すように、樹脂材で略直方体形状の箱体に形成された筺体１６を有し、筺体１６の長手方向の一端（上端）には、赤外線発光ダイオードや樹脂材からなるカバー等で構成された後述する送信部１４が設けられている。
【００１６】
筺体１６の前面には、図１（Ａ）に示すように、上端側に操作表示部１１が、下端側に開閉蓋１７が、それぞれ設けられている。開閉蓋１７の下端部１７ａは、図１（Ｂ）に示すように、筺体１６の下端に軸支され、ここを支点として回動することによって開閉することができ、開閉蓋１７を開放した筺体１６には操作キー１２が配置されている。
【００１７】
操作表示部１１は、図１（Ｃ）に示すように、前面に設けられた操作手段であるタッチパネル１１ｙとこのタッチパネル１１ｙと対応する画面を表示する液晶ディスプレイからなる表示手段である表示画面１１ｘとで構成されている。具体的には、表示画面１１ｘが画面に設定温度や運転モード、風量等の空調運転に関する設定項目や、運転開始や設定開始等の指示内容を表示し、タッチパネル１１ｙの各操作ボタンが上記表示位置に対応して配置されることによって、以下に説明する各種ボタン（１１ｂ〜１１ｆ）となっている。尚、表示画面１１ｘの中央部は、各種設定時の数値や条件を選択するための画像等が表示される中央表示部１１ａとされている。
【００１８】
温度設定ボタン１１ｂは、空調運転時の目標室温となる設定温度を選択・決定するボタンである。温度設定ボタン１１ｂを押下すると、図３（Ｂ）に示すように、中央表示部１１ａに上昇／下降の２つのボタンからなる設定ボタン１１ａ１が表示される。使用者は、設定ボタン１１ａ１を押下して温度設定ボタン１１ｂに所望する設定温度を表示して温度設定ボタン１１ｂを再度押下することで設定温度を決定する。
【００１９】
空調モード設定ボタン１１ｃは、冷房／暖房／除湿等といった空調モードを選択・決定するボタンである。空調モード設定ボタン１１ｃを押下すると、図３（Ｂ）に示すように、中央表示部１１ａに設定ボタン１１ａ１が表示される。使用者は、設定ボタン１１ａ１を押下して空調モード設定ボタン１１ｃに所望する空調モードを表示して空調モード設定ボタン１１ｃを再度押下することで空調モードを決定する。
【００２０】
風量・風向設定ボタン１１ｄは、例えば、「強」「中」「弱」「自動」といった、室内機の吹出口から部屋に供給される空調空気の吹出し強度や、「左右スイング」「上下スイング」「停止」「自動」といった、空調空気の吹出し方向を選択・決定するボタンであり、風量・風向設定ボタン１１ｄを押下する度に、風量を設定する状態と風向を設定する状態とに交互に切り換わる。風量・風向設定ボタン１１ｄを押下して風量を設定する状態とした場合は、図３（Ｂ）に示すように、中央表示部１１ａに設定ボタン１１ａ１が表示される。使用者は、設定ボタン１１ａ１を押下して風量・風向設定ボタン１１ｄに所望する風量を表示して風量・風向設定ボタン１１ｄを再度押下することで風量を決定する。また、風量・風向設定ボタン１１ｄを押下して風向を設定する状態とした場合、使用者は、設定ボタン１１ａ１を押下して風量・風向設定ボタン１１ｄに所望する吹出し方向を表示して風量・風向設定ボタン１１ｄを再度押下することで風向を決定する。
【００２１】
尚、以上説明した温度設定ボタン１１ｂ、空調モード設定ボタン１１ｃおよび風量・風向設定ボタン１１ｄについては、各設定ボタンを押下する度に各設定ボタンの表示が変化していくようにしてもよく、例えば、空調モード設定ボタン１１ｃの場合は、押下する度に空調モード設定ボタン１１ｃの表示が「冷房」→「暖房」→「除湿」→「自動」というように変化するようにしてもよい。
【００２２】
運転ボタン１１ｅは、空気調和機の運転開始／停止を指示するボタンであり、空気調和機が停止中は「運転」と表示され、空気調和機が運転中は図示しないが「停止」と表示される。
【００２３】
優先設定ボタン１１ｆは、相関する複数の運転モードの設定を行うためのボタンであり、詳細は後述するが、優先設定ボタン１１ｆが押下されると、図３に示すように、中央表示部１１ａに運転モード設定画面１１０が表示され、運転モード設定画面１１０にて運転モードの実行レベルが設定できる。尚、優先設定ボタン１１ｆは、運転モード設定を行う際には、運転モード設定を中止もしくは完了するための戻りボタン１１ｇと、設定した運転モードの実行レベルを解除もしくは取り消すための解除ボタン１１ｈとになる。
【００２４】
操作キー１２は、操作表示部１１のタッチパネル１１ｙに備えられた各種設定ボタンのうち、一部の機能を実現するよう補助的に設けられたキーであり、タッチパネル１１ｙが操作しづらい場合を想定して、設定温度や運転モードが設定できるよう最低限の設定キーが設けられている。また、これら以外に、タイマー運転設定キー、リモコン１を初期状態に戻すためのリセットキー等も設けられている。
【００２５】
次に、リモコン１の要部構成について、図２を用いて説明する。リモコン１は、図２に示すように、上述した操作表示部１１および操作キー１２に加え、記憶部１３と、送信部１４と、これらを制御する制御手段１５とを備えている。また、操作表示部１１は表示画面１１ｘとタッチパネル１１ｙとから構成されている。
【００２６】
記憶部１３には、操作表示部１１や操作キー１２に対応する制御コードや、各種データやプログラム等が記憶されている。
【００２７】
制御手段１５は、使用者によって操作された操作表示部１１や操作キー１２に対応する制御コードを記憶部１３から読み出し、この制御コードから送信コードを生成して送信部１４へ出力する。また、操作内容に対応した表示画面を操作表示部１１の表示画面１１ｘに表示する。
送信部１４は、制御手段１５から入力した送信コードに基づいた赤外線信号を空気調和機に送信する。
【００２８】
次に、図１乃至図３を用いて、本発明の空気調和機のリモコン１における、空気調和機に備えられた相関する複数の運転モードの設定方法について具体的に説明し、一つの運転モードの変更による他の運転モードへの影響を表示することによる効果について説明する。尚、以下の説明では、空気調和機に備えられた相関する複数の運転モードとして、室外機に備えられた圧縮機の回転数を低くし、消費電力を抑える省エネ運転モード、室内機の室内ファンの回転数を低くし、室内機での騒音を抑える静音モード、および、圧縮および室内ファンの回転数を一時的に所定の値まで上昇させ、設定温度に室温が到達する時間を短縮する急速運転モード、の３つの運転モードを備えているものとする。
【００２９】
また、以下の説明では、空気調和機は設定温度：２６℃で冷房運転を行っている場合を例に挙げ、制御手段１５は、各運転モードの変更を行っても設定温度は変えないように制御するものとして説明する。また、空気調和機の停止時は、リモコン１の操作表示部１１には運転ボタン１１ｅと現在の時刻のみ表示されているものとする。
【００３０】
使用者は、空気調和機の運転を開始するため、図３（Ａ）に示すように、操作表示部１１の運転ボタン１１ｅを押下する。運転ボタン１１ｅが押下されると、制御手段１５は、運転開始信号を空気調和機に送信するとともに、温度設定ボタン１１ｂ、運転モードボタン１１ｃおよび風量・風向設定ボタン１１ｄを、現在の設定状態とともに表示画面１１ｘに表示する。また、制御手段１５は、優先設定ボタン１１ｆを表示するとともに、図３（Ｂ）に示すように、運転ボタン１１ｅの表示を「停止」に変更する。尚、運転ボタン１１ｅが押下されて空気調和機が運転を開始した時は、制御手段１５は中央表示部１１ａには何も表示しない。
【００３１】
使用者は、空気調和機の運転を開始すると、温度設定ボタン１１ｂ、運転モードボタン１１ｃおよび風量・風向設定ボタン１１ｄをそれぞれ押下して、意図する空調環境となるように各種設定を行う。この時、図３（Ｂ）に示すように、制御手段１５は、中央表示部１１ａに設定ボタン１１ａ１を表示する。尚、制御手段１５は設定された内容に対応した送信コードを生成して送信部１４に出力し、送信部１４は入力した送信コードに基づいた赤外線信号を空気調和機に送信する。
【００３２】
空気調和機の運転中に、使用者が複数の運転モードのうちいずれかを開始、または、現在実行している運転モードの設定変更をしたい場合、図３（Ｂ）に示すように、優先設定ボタン１１ｆを押下する。
【００３３】
優先設定ボタン１１ｆが押下されると、制御手段１５は、図３（Ｃ）に示すように、風量・風向設定ボタン１１ｄの表示を現在の風量を示す風量表示１１ｄ１に、優先設定ボタン１１ｆの表示を戻りボタン１１ｇおよび解除ボタン１１ｈの表示に、また、運転ボタン１１ｅの表示を設定ボタン１１ｅ１の表示に、それぞれ変更するとともに、中央表示部１１ａに運転モード設定画面１１０を表示する。
【００３４】
運転モード設定画面１１０は、各運転モードの実行レベルに対応する３本の座標軸１１１と、現在の各運転モードの実行レベルを表示しタッチパネル１１ｙの操作ボタンが対応付けられたレベル設定ボタン１１２とからなるレーダーチャートで表示される。３本の座標軸１１１は、運転モード設定画面１１０の中心部に各軸の原点をまとめて放射線状に表示されており、それぞれ、省エネ運転モードの実行レベルに対応する省エネ座標軸１１１ａ、静音モードの実行レベルに対応する静音座標軸１１１ｂ、急速運転モードの実行レベルに対応する急速座標軸１１１ｃ、とされている。
【００３５】
座標軸１１１の目盛りは各運転モードの実行レベルと対応しており、各々の目盛り１〜３が実行レベル１〜３と対応している。尚、図３（Ｃ）では、各座標目盛りに数字を付しているが、これは本実施例の説明のためであって、実際の運転モード設定画面１１０にはこの数字は表示されなくてもよい。
【００３６】
実行レベルは、省エネ座標軸１１１ａでは、レベル１から３と大きくなるに従って省エネ効果が大きくなり、静音座標軸１１１ｂでは、レベル１から３と大きくなるに従って室内機から発生する騒音が小さく（静音効果が大きく）なり、急速座標軸１１１ｃでは、レベル１から３と大きくなるに従って設定温度に室温が到達する時間が短くなる。
【００３７】
また、運転モード設定画面１１０では、各運転モードは短縮して表示され、省エネ運転モードは「省エネ」、静音モードは「静音」、急速運転モードは「急速」とそれぞれ表示される。また、レベル設定ボタン１１２は、初期状態（設置後に空気調和機を初めて運転する際や、停止していた空気調和機の運転を開始した際）では、図３（Ｃ）に示すように、全ての座標軸１１１において実行レベル：２の位置に設定されている。
【００３８】
使用者は、各運転モードの実行レベルを変更したい時は、レベル設定ボタン１１２に手指を接触させ、そのまま各座標軸１１１に沿ってレベル設定ボタン１１２を移動させる。例えば、図３（Ｃ）に示す初期状態から、室内機の騒音を下げたい、つまり、静音モードの実行レベルを上げたいと思えば、図３（Ｄ）に示すように、静音座標軸１１１ｂ上の目盛り２に表示されているレベル設定ボタン１１２に手指を接触させ、レベル設定ボタン１１２を目盛り２から目盛り３に移動させる。この操作により、静音モードの実行レベルが２から３に上がる。尚、この時風量表示部１１ｄ１の風量表示は、図３（Ｃ）の状態から図３（Ｄ）の状態に変化し、黒塗りの部分を少なすることで風量が低下したことを表示する。
【００３９】
静音モードの実行レベルを上げるということは、室内機の室内ファンの回転数を下げるということである。従って、室温を設定温度：２６℃に維持しようとすれば、室外機に備えられた圧縮機の回転数を上げて室内熱交換器に流す冷媒量を増加させる必要があり、空気調和機全体としての消費電力が増えて省エネ性が下がる。また、室内ファンの回転数を下げることによって室内に供給される空調空気が減少するので、一旦上昇した室温を設定温度である２６℃に戻す時間が長くなる。
【００４０】
従って、制御手段１５は、使用者が静音座標軸１１１ｂ上のレベル設定ボタン１１２を操作して静音モードの実行レベルを２から３に上げた場合、省エネ運転モードの実行レベルが低下することと、急速運転モードの実行レベルが低下することを運転モード設定画面１１０に表示する。具体的には、図３（Ｄ）に示すように、制御手段１５は、静音モードの実行レベルが２から３に上げられると、これに連動して省エネ座標軸１１１ａ上および急速座標軸１１１ｃ上のレベル設定ボタン１１２の表示位置をそれぞれ移動させ、省エネ座標軸１１１ａ上のレベル設定ボタン１１２の位置が２から１となる、つまり、省エネ運転モードの実行レベルが２から１に下がり、急速座標軸１１１ｃ上のレベル設定ボタン１１２の位置が２から１となる、つまり、急速運転モードの実行レベルが２から１に下がることを、運転モード設定画面１１０に表示する。
【００４１】
以上のように、一の運転モードの実行レベルを変更すれば、他の運転モードの実行レベルにどのように影響するかを運転モード設定画面１１０に表示するので、使用者は運転モードの設定の際に、各運転モード相互の関係を把握しながら設定を行うことができる。従って、例えば、省エネ志向の強い使用者であれば、急速運転モードを使用したいときや静音モードを使用したいときでも、省エネ効果を考慮しながら各運転モードの実行レベルの設定が行える、といったように、使用者の意図により沿った各運転モードの設定が行える。
【００４２】
使用者は、図３（Ｄ）に示すように静音モードの実行レベルを設定し、他の運転モードに及ぼす影響を確認してこれでよいと判断すれば、図３（Ｅ）に示すように、設定ボタン１１ｅ１を押下して上記設定を確定させる。設定ボタン１１ｅ１の押下を認識した制御手段１５は、図３（Ｆ）に示すように、戻りボタン１１ｇおよび解除ボタン１１ｈの表示を優先設定ボタン１１ｆの表示に、また、設定ボタン１１ｅ１の表示を運転ボタン１１ｅの表示に、それぞれ戻して表示するとともに、設定された各運転モードの実行レベルに対応する制御信号を生成し、送信部１４を介して空気調和機に送信する。
【００４３】
尚、図３（Ｅ）の状態で、使用者が戻るボタン１１ｇを押下すれば、制御手段１５は、変更した静音座標軸１１１ｂ上のレベル設定ボタン１１２の表示位置を元の状態に戻す、つまり、操作表示部１１の表示を図３（Ｃ）の状態に戻す。また、図３（Ｃ）乃至（Ｅ）の状態で、使用者が解除ボタン１１ｈを押下すれば、制御手段１５は、運転モードを設定する状態を取りやめて操作表示部１１の表示を図３（Ａ）の状態に戻す。
【００４４】
また、記憶部１３には、各運転モードの実行レベルと空気調和機に備えられた装置の制御パラメータ（例えば、圧縮機や室内ファンの回転）とを対応づけたテーブルが記憶されており、制御手段１５は、各運転モードの実行レベルが設定されれば、記憶部１３にアクセスしてこのテーブルから設定内容に対応した制御パラメータを読み出し、これに基づいて制御信号を生成する。
【００４５】
以上説明した実施例では、静音モードの実行レベルを変更した場合を説明したが、他の運転モードの実行レベルを変更した場合、例えば、図４（Ａ）に示すように、急速運転モードの実行レベルを２から３に上げた場合、室内機の室内ファン回転数を上げる必要があるためこれに起因する騒音は増加するが、室内ファン回転数を上げることによる消費電力の増加量は空気調和機全体の消費電力と比べると微々たるものであるので、制御手段１５は、静音座標軸１１１ｂ上のレベル設定ボタン１１２を２から１に移動させて表示するとともに、省エネ座標軸１１１ａ上のレベル設定ボタン１１２はそのままの位置に表示する。
【００４６】
また、以上の説明では設定温度は変更しないという条件で説明したが、例えば、省エネ運転モードの実行レベルを２から３に上げた場合、室外機の圧縮機回転数を下げるとともに室内ファンの回転数を下げることとなり、これにより設定温度の実現が困難となる場合が考えられる。このような場合には、図４（Ｂ）に示すように、制御手段１５が、静音座標軸１１１ｂ上のレベル設定ボタン１１２を２から３に、急速座標軸１１１ｃ上のレベル設定ボタン１１２を２から１に、それぞれ移動させて表示するとともに、温度設定ボタン１１ｂに表示されている設定温度を上げて（例えば、２６℃から２８℃）表示し、変更した設定温度となるような制御信号を室内機に送信するようにしてもよい。
【００４７】
また、運転モード設定画面１１０が、座標軸１１１とレベル設定ボタン１１２とで構成される場合について説明したが、他の表示形態、例えば、図５に示すように、各運転モードの実行レベルに対応した操作バー１２１からなる運転モード設定画面１２０であってもよい。
【００４８】
図５に示す操作表示部１１は、運転モード設定画面１２０以外については、図３を用いて説明した操作方法や動作原理、効果等と同一であるため詳細な説明を省略し、以下では主に図５（Ｃ）および図５（Ｄ）を用いて運転モード設定画面１２０に関する説明を行う。運転モード設定画面１２０は、各運転モードの実行レベルに対応する３本の操作バー１２１からなる。
【００４９】
３本の操作バー１２１は、図５（Ｃ）に示すように、棒グラフ状の形状で運転モード設定画面１２０に横方向に並んで表示されており、それぞれ、省エネ運転モードの実行レベルに対応する省エネ操作バー１２１ａ、静音モードの実行レベルに対応する静音操作バー１２１ｂ、急速運転モードの実行レベルに対応する急速操作バー１２１ｃ、とされている。
【００５０】
各操作バー１２１は４つのブロックに仕切られており、各ブロックに対応してタッチパネル１１ｙの操作ボタンが割り当てられている。各ブロックは対応する運転モードの実行レベルと対応しており、各々のブロック１〜４が実行レベル１〜４と対応している。尚、図５（Ｃ）では、各ブロックに数字を付しているが、これは本実施例の説明のためであって、実際の運転モード設定画面１２０にはこの数字は表示されなくてもよい。
【００５１】
実行レベルは、省エネ操作バー１２１ａでは、レベル１から４と大きくなるに従って省エネ効果が大きくなり、静音操作バー１２１ｂでは、レベル１から４と大きくなるに従って室内機から発生する騒音が小さく（静音効果が大きく）なり、急速操作バー１２１ｃでは、レベル１から４と大きくなるに従って設定温度に室温が到達する時間が短くなる。
【００５２】
尚、運転モード設定画面１２０では、各運転モードは短縮して表示され、省エネ運転モードは「省エネ」、静音モードは「静音」、急速運転モードは「急速」とそれぞれ表示される。また、操作バー１２１では、ブロックに手指を合わせ、手指をスライドさせることで実行レベルを変更することができる。そして、手指が接触しているブロック以下が白色からグレー色に表示が切り替わり、グレー色の状態がその実行レベルが選択されている状態を示している。尚、初期状態（設置後に空気調和機を初めて運転する際や、停止していた空気調和機の運転を開始した際）では、図５（Ｃ）に示すように、全ての操作バー１２１において実行レベル：２の位置に設定されているため、各ブロックにおいて実行レベル２に対応するブロック以下がグレー色で表示されている。
【００５３】
使用者は、各運転モードの実行レベルを変更したい時は、操作バー１２１のブロックを手指で押下する。例えば、図５（Ｃ）に示す初期状態から、室内機の騒音を下げたい、つまり、静音モードの実行レベルを上げたいと思えば、図５（Ｄ）に示すように、静音操作バー１２１ｂのブロック４を押下する。この操作により、静音モードの実行レベルが２から４に上がる。尚、この時風量表示部１１ｄ１の風量表示は、図５（Ｃ）の状態から図５（Ｄ）の状態に変化し、黒塗りの部分を少なくすることで風量が低下したことを表示する。
【００５４】
静音モードの実行レベルを上げるということは、室内機の室内ファンの回転数を下げるということである。従って、室温を設定温度：２６℃に維持しようとすれば、室外機に備えられた圧縮機の回転数を上げて室内熱交換器に流す冷媒量を増加させる必要があり、空気調和機全体としての消費電力が増えて省エネ性が下がる。また、室内ファンの回転数を下げることによって室内に供給される空調空気が減少するので、一旦上昇した室温を設定温度である２６℃に戻す時間が長くなる。
【００５５】
従って、制御手段１５は、静音操作バー１２１ｂのブロックが押下されて静音モードの実行レベルが２から４に上げられた場合、省エネ運転モードの実行レベルが低下することと、急速運転モードの実行レベルが低下することを運転モード設定画面１２０に表示する。具体的には、図５（Ｄ）に示すように、制御手段１５は、静音モードの実行レベルが２から４に上げられると、これに連動して省エネ操作バー１２１ａおよび急速操作バー１２１ｃのグレー色となるブロックが１となる、つまり、省エネ運転モードの実行レベルおよび急速運転モードの実行レベルが２から１に下がることを、運転モード設定画面１２０に表示する。
【実施例２】
【００５６】
次に、本発明の空気調和機のリモコンの第２の実施例について説明する。尚、本実施例では、リモコンの基本的な構成要素や、運転モードの実行レベルを設定した際の相互の影響を表示する原理や方法については、第１の実施例と同じであるため、詳細な説明を省略する。第１の実施例と異なるのは、表示画面の前面にタッチパネルを備えず、運転モードの実行レベル設定を操作キーで行うことである。
【００５７】
本実施例のリモコン２は、図６に示すように、樹脂材で略直方体形状の箱体に形成された筺体２３を有し、筺体２３の長手方向の一端（上端）には、赤外線発光ダイオードや樹脂材からなるカバー等で構成された送信部１４が設けられている。
【００５８】
筺体２３の前面には、上端側に表示手段である表示画面２１が、下端側に操作手段である操作キー２２が、それぞれ設けられている。表示画面２１は、例えば液晶ディスプレイであり、空調運転に関する設定運転モードや、使用者の指示した内容を表示するものであり、本実施例のリモコン２では、表示画面２１の上部から順に、設定温度を表示する温度表示部２１ｂ、冷房・暖房等といった運転モードを表示する空調モード表示部２１ｃ、室内機の吹出口から部屋に供給される空調空気の吹出し強度や吹出し方向を表示する風量・風向表示部２１ｄ、各種設定時の数値や条件等を表示する状態表示部２１ａとされている。
【００５９】
操作キー２２は、使用者が空気調和機の運転に際し、様々な設定や指示を行うためのものであり、運転キー２２ａ，優先設定キー２２ｂ、選択キー２２ｃ、調節キー２２ｄ、決定キー２２ｅ、戻るキー２２ｆ、およびタイマーキー２２ｇから構成されている。
【００６０】
運転キー２２ａは、空気調和機の運転開始／停止を指示するキーである。優先設定キー２２ｂは、運転モードの設定を行うためのキーであり、優先設定キー２２ｂを押下すると状態表示部２１ａに運転モード設定画面２１０が表示されるが、詳細は後述する。
【００６１】
選択キー２２ｃは、上昇および下降の２つのキーからなり、設定したい運転条件を選択するためのものである。調整キー２２ｄは、プラス（＋）およびマイナス（−）の２つのキーからなり、選択キー２２ｃで選択した設定したい運転条件を変更するためのものである。
【００６２】
決定キー２２ｅは、選択キー２２ｃや調整キー２２ｄを操作して設定した内容を確定するためのものである。戻るキー２２ｆは、選択キー２２ｃや調整キー２２ｄを操作して設定した内容を取り消して元の状態に戻すためのものである。タイマーキー２２ｇは、空気調和機のタイマー運転設定を行うためのものである。
【００６３】
次に、図２および図６を用いて、本発明の空気調和機のリモコン２における、運転モードの設定方法について具体的に説明する。尚、以下の説明では、第１の実施例と同じく、空気調和機は運転モードとして、省エネ運転モード、静音モード、および、急速運転モードの３つの運転モードを備えているものとする。また、リモコン２の要部構成は、第１の実施例で説明したリモコン１と同様とする。また、空気調和機は設定温度：２６℃で冷房運転を行っている場合を例に挙げ、リモコン２の制御手段１５は、各運転モードの変更を行っても設定温度は変えないものとして説明する。
【００６４】
使用者は、空気調和機の運転を開始するため、図６（Ａ）に示すように、運転キー２２ａを押下する。尚、図６において、押下される操作キー２２は、説明の便宜上、グレー色で表示している。運転キー２２ａが押下されると、制御手段１５は、運転開始信号を空気調和機に送信するとともに、表示画面２１の温度表示部２１ｂ、空調モード表示部２１ｃ、風量・風向表示部２１ｄに現在の設定内容を表示する。ここでは、設定温度は「２６℃」、運転モードは「冷房」、風量は「自動」と表示されている。尚、運転キー２２ａが押下されて空気調和機が運転を開始した時は、制御手段は状態表示部２１ａには何も表示しない。また、空気調和機の停止時は、リモコン２の表示画面２１には現在の時刻のみ表示されるものとする。
【００６５】
使用者は、空気調和機の運転を開始すると、操作キー２２を操作して、意図する空調環境となるように各種設定を行う。例えば、使用者が設定温度を変更するために選択キー２２ｃを押下すれば、制御手段１５は、温度表示部２１ｂの表示を点滅させて設定温度が変更できることを示す状態とする。この状態で、使用者は調節キー２２ｄを押下することで設定温度を上下でき、意図する設定温度となれば、決定キー２２ｅを押下することで設定が確定する。設定温度以外の運転条件を設定したい場合は、選択キー２２ｃを押下して所望の表示エリアを点滅させてから調節キー２２ｄを押下して各種設定を行う。制御手段１５は設定された内容に対応した制御信号を、送信部１４を介して空気調和機に送信する。
【００６６】
空気調和機の運転中に、使用者が複数存在する運転モードのうちいずれかを開始、または、現在実行している運転モードの設定変更をしたい場合、図６（Ｂ）に示すように、使用者は優先設定キー２２ｂを押下する。
【００６７】
優先設定キー２２ｂが押下されると、制御手段１５は、図６（Ｃ）に示すように、風量・風向表示部２１ｄの表示を現在の風量を示す風量表示に変更するとともに、状態表示部２１ａに運転モード設定画面２１０を表示する。
【００６８】
運転モード設定画面２１０は、各運転モードの実行レベルに対応する３本の座標軸２１１と、現在の各運転モードの実行レベルを表示するレベル表示点２１２と、設定内容を取り消す取消指示部２１３とからなる。３本の座標軸２１１は、運転モード設定画面２１０の中心部に各軸の原点をまとめて放射線状に表示されており、それぞれ、省エネ運転モードの実行レベルに対応する省エネ座標軸２１１ａ、静音モードの実行レベルに対応する静音座標軸２１１ｂ、急速運転モードの実行レベルに対応する急速座標軸２１１ｃ、とされている。
【００６９】
座標軸２１１の目盛りは各運転モードの実行レベルと対応しており、各々の目盛り１〜３が実行レベル１〜３と対応している。尚、図６（Ｃ）では、各座標目盛りに数字を付しているが、これは本実施例の説明のためであって、実際の運転モード設定画面２１０にはこの数字は表示されなくてもよい。また、レベル表示点２１２は全てグレー色で表示されている。
【００７０】
実行レベルは、省エネ座標軸２１１ａでは、レベル１から３と大きくなるに従って省エネ効果が大きくなり、静音座標軸２１１ｂでは、レベル１から３と大きくなるに従って室内機から発生する騒音が小さく（静音効果が大きく）なり、急速座標軸２１１ｃでは、レベル１から３と大きくなるに従って設定温度に室温が到達する時間が短くなる。
【００７１】
尚、運転モード設定画面２１０では、各運転モードは短縮して表示され、省エネ運転モードは「省エネ」、静音モードは「静音」、急速運転モードは「急速」とそれぞれ表示される。また、初期状態（設置後に空気調和機を初めて運転する際や、停止していた空気調和機の運転を開始した際）では、全てのモードの実行レベルは「２」に設定されており、図６（Ｃ）に示すように、レベル表示点２１２は、全ての座標軸２１１において実行レベル：２の位置に表示されている。
【００７２】
使用者は、各運転モードの実行レベルを変更したい時は、選択キー２２ｃを操作して変更したい運転モードを選択する。例えば、図６（Ｃ）に示す初期状態から、室内機の騒音を下げたい、つまり、静音モードの実行レベルを上げたいと思えば、図６（Ｄ）に示すように、選択キー２２ｃを操作して運転モード設定画面２１０の「静音」を選択する。尚、「静音」が選択されたことは、「静音」の表示箇所を白色からグレー色に変更したことと、静音座標軸２１１ｂ上のレベル表示点２１２がグレー色から黒色に変更したことで表示される。
【００７３】
次に、使用者は、図６（Ｅ）に示すように、調節キー２２ｄを操作して静音座標軸２１１ｂ上のレベル表示点２１２を目盛り２から目盛り３に移動させる。そして、図６（Ｆ）に示すように、使用者が決定キー２２ｅを押下すれば、制御手段１５は、静音モードの実行レベルを２から３に上げるとともに、図６（Ｇ）に示すように、運転モード設定画面２１０の「静音」の表示箇所のグレー色を白色に戻し、静音座標軸２１１ｂ上のレベル表示点２１２が黒色からグレー色に戻すことで、設定が完了したことを使用者に表示する。尚、上記操作において、風量・風向表示部２１ｄの風量表示は、図６（Ｃ）の状態から図６（Ｅ）の状態に変化し、黒塗りの部分を少なくすることで風量が低下したことを表示する。
【００７４】
尚、図６（Ｆ）の状態で、使用者が戻るキー２２ｆを押下すれば、制御手段１５は、変更した静音座標軸２１１ｂ上のレベル表示点２１２の表示位置を元の状態に戻す、つまり、表示画面２１の表示を図６（Ｃ）の状態に戻す。また、図６（Ｃ）乃至（Ｆ）の状態で、使用者が選択キー２２ｃを押下して取消指示部２１３を選択し決定キー２２ｅを押下すれば、制御手段１５は、運転モードを設定する状態を取りやめて表示画面２１の表示を図６（Ａ）の状態に戻す。
【００７５】
静音モードの実行レベルを上げるということは、室内機の室内ファンの回転数を下げるということである。従って、室温を設定温度：２６℃に維持しようとすれば、室外機に備えられた圧縮機の回転数を上げて室内熱交換器に流す冷媒量を増加させる必要があり、空気調和機全体としての消費電力が増えて省エネ性が下がる。また、室内ファンの回転数を下げることによって室内に供給される空調空気が減少するので、一旦上昇した室温を設定温度である２６℃に戻す時間が長くなる。
【００７６】
従って、制御手段１５は、使用者が操作キー２２を操作して静音モードの実行レベルを２から３に上げた場合、省エネ運転モードの実行レベルが低下することと、急速運転モードの実行レベルが低下することを運転モード設定画面２１０に表示する。具体的には、図６（Ｅ）および（Ｆ）に示すように、制御手段１５は、静音モードの実行レベルが２から３に上げられると、これに連動して省エネ座標軸２１１ａ上のレベル表示点２１２の表示位置が２から１となる、つまり、省エネ運転モードの実行レベルが２から１に下がり、急速座標軸２１１ｃ上のレベル表示点２１２の表示位置が２から１となる、つまり、急速運転モードの実行レベルが２から１に下がることを、運転モード設定画面２１０に表示する。
【００７７】
以上のように、１つの運転モードの実行レベルを変更すれば、他の運転モードの実行レベルにどのように影響するかを運転モード設定画面２１０に表示するので、使用者は運転モードの設定の際に、各運転モード相互の関係を把握しながら設定を行うことができる。従って、例えば、省エネ志向の強い使用者であれば、急速運転モードを使用したいときや静音モードを使用したいときでも、省エネ効果を考慮しながら各運転モードの実行レベルの設定が行える、といったように、使用者の意図により沿った各運転モードの設定が行える。
【００７８】
以上説明した実施例では、運転モード設定画面２１０は、座標軸２１１とレベル表示点２１２とで構成される場合について説明したが、他の表示形態、例えば、図５を用いて説明したような、各運転モードの実行レベルに対応した棒グラフ状の実行レベル表示部からなり、選択されている実行レベルを、例えばグレー色として表示するものであってもよい。
【００７９】
以上説明したように、本発明の空気調和機は、一つの運転モードを変更すれば、他の運転モードにどのように影響するかを運転モード設定画面によって表示装置に表示するので、空気調和機の使用者は、各運転モードの設定の際に、各運転モード相互の関係を把握しながら設定を行うことができ、より自分の意図に沿った空調制御を実現できる。
【００８０】
尚、以上説明した２つの実施例では、空気調和機に備えられた運転モードとして、省エネ運転モードと静音モードと急速運転モードとを備える場合について説明したが、これらに代わり、あるいは、これらに加えて、マイナスイオン発生器を備え空調空気にマイナスイオンを乗せて部屋に拡散させる「うるおいモード」や、芳香剤を散布させる芳香発生器を備え空調空気に芳香成分を乗せて部屋に拡散させる「リラックスモード」等といった、別の運転モードを用いるようにしてもよい。
【００８１】
また、表示装置がリモコンである場合について説明したが、これに限るものでなく、表示装置が空気調和機本体、例えば、ウインドエアコンや空気清浄機、脱臭機等の本体筺体に備えられていてもよく、また、複数の室内機と室外機からなる空気調和装置では、これらを管理する中央管理装置に表示装置が備えられていてもよい。尚、表示装置が空気調和機本体に備えられている場合は、空気調和機本体の制御手段が表示装置の制御手段を兼ねてもよい。
【符号の説明】
【００８２】
１  リモコン
２  リモコン
１１  操作表示部
１１ａ  中央表示部
１１ｄ１  風量表示部
１１ｆ  優先設定ボタン
１１ｘ  表示画面
１１ｙ  タッチパネル
１５  制御手段
２１  表示画面
２１ａ  状態表示部
２２  操作キー
２２ｂ  優先設定キー
２２ｃ  選択キー
２２ｄ  調節キー
２２ｅ  決定キー
１１０  運転モード設定画面
１１１  座標軸
１１１ａ  省エネ座標軸
１１１ｂ  静音座標軸
１１１ｃ  急速座標軸
１１２  レベル設定ボタン
１２０  運転モード設定画面
１２１  操作バー
１２１ａ  省エネ操作バー
１２１ｂ  静音操作バー
１２１ｃ  急速操作バー
２１０  運転モード設定画面
２１１  座標軸
２１１ａ  省エネ座標軸
２１１ｂ  静音座標軸
２１１ｃ  急速座標軸
２１２  レベル表示点
【図１】
2013002717.tif 000003
【図２】
2013002717.tif 000004
【図３】
2013002717.tif 000005
【図４】
2013002717.tif 000006
【図５】
2013002717.tif 000007
【図６】
2013002717.tif 000008